(57)【要約】【課題】組み立て、分解を容易に行うことができ、リサイクル法に基づく分別を単純化することができる取っ手付きパッキングケースを提供すること。【解決手段】段ボールよりなるケース本体を図に示すような状態に組み立てた後、第一の上蓋１を折り込み線１４の位置で折り曲げて二つ折りにする。このように、第一の上蓋１を二つ折りすることにより、長孔１１、１２に取っ手が挿入可能となるので、二つ折りにした折目の先端部分から長孔１１、１２に取っ手をスライドさせて挿入し、突き当たる位置まで移動させる。このとき、第一の上蓋１が二つ折りされているので、段ボールに開こうとする力が発生してバネ状態となり、はめ込んだ取っ手の本体と補強板とを引き離す方向の力が働いて取っ手が固定されるので、取っ手が動いて落ちることがなく、容易に組み立てを行うことができる。【選択図】　　　　図１
2004059105.tif 000002
【特許請求の範囲】
【請求項１】
二つの長孔を有し、この二つの長孔を横切る形で二つ折りにされる第一の上蓋と、取っ手が通過する孔を有する第二の上蓋とをケース本体に備え、取っ手を二つ折りされた前記第一の上蓋の長孔に挿入することにより取っ手を上蓋に取り付けたことを特徴とするパッキングケース。
【請求項２】
前記取っ手が取っ手本体と補強板とよりなることを特徴とする請求項１に記載のパッキングケース。
【発明の詳細な説明】
【０００１】
【発明の属する技術分野】
本発明は、運搬などのため各種商品の収容に使用されるパッキングケース、特に、上蓋に取っ手を備えたパッキングケースに関する。
【０００２】
【従来の技術】
パッキングケースは、運搬などのために各種商品に使用されているが、小売りの際、購入者がパッキングケースごと持ち帰れるよう、パッキングケースの上蓋に取っ手を設けたものがある。このようなパッキングケースでは、取っ手が合成樹脂でできており、このパッキングケースを廃棄する場合には、リサイクル法に基づく分別収集のため、合成樹脂でできた取っ手と段ボールでできたケース自体とを分離する必要があり、取っ手は取り外し可能な構造になっている。
【０００３】
従来の上蓋に取っ手を備えたパッキングケースを図５〜図８により説明する。図５は段ボールでできたケース本体を組み立て、上蓋を開いた状態を示し、このケース本体は第一の上蓋３１、第二の上蓋３２、補助上蓋３３、３４の四つの上蓋を備えている。第一の上蓋３１には、第一の上蓋３１と側部３５とにまたがるようにして切り込み３１１が入れられて側部３５に差し込み片３５１（図７参照）が形成され、この切り込み３１１の両側には上面折り込み線に沿ってスリット状の差し込み用開口３１２が設けられている。また、この第一の上蓋３１には小さな方形の取っ手用開口３１３、３１４が設けられており、この開口は取っ手の形状に合わせて第一の上蓋３１の中心を挟んで二つ形成されている。
【０００４】
一方、第二の上蓋３２には、その上辺に沿って細長い長方形の差し込み片３２１が設けられ、差し込み片３２１と第二の上蓋３２との境の部分には折り込み線３２２が形成されている。また、この折り込み線３２２上には細長い差込用開口３２３が形成され、第二の上蓋３２の中央には長い長方形状の取っ手用開口３２４が形成されている。
【０００５】
取っ手は図６に示すように、取っ手本体４１と補強板４２とから構成され、取っ手本体４１には、弧状の部材の両端部に同幅の長方形の板状の係止部４１１、４１２が設けられ、また、補強板４２は、ほぼ長方形の板状の部材であり、第一の上蓋３１の取っ手用開口３１３、３１４に相当する位置に方形の係止用開口４２１、４２２を有している。この取っ手本体４１及び補強板４２は樹脂製であり、取っ手本体４１は必要な柔軟性を有している。
【０００６】
このパッキングケースを組み立てる場合、ケースを図５に示すように組み立てた後、取っ手を第一の上蓋３１に取り付ける。すなわち、図６に示すように、補強板４２の係止用開口４２１、４２２が第一の上蓋３１の取っ手用開口３１３、３１４の下側に位置するようにして補強板４２を第一の上蓋３１の下側に配置する。そして、取っ手本体４１の両側の係止部４１１，４１２を折り曲げながら、両係止部４１１、４１２を上側から取っ手用開口３１３、３１４及び係止用開口４２１、４２２に挿通させる。この後、係止部４１１、４１２を元の姿勢に戻すと、取っ手本体４１が補強板４２及び第一の上蓋３１に係止された状態となり、取っ手を上蓋３１に取り付けることができる。
【０００７】
次に、補助上蓋３３、３４を内側に折り曲げた後、図７に示すように、取っ手が付けられた第一の上蓋３１を内側に折り曲げる。さらに、第二の上蓋３２を内側に折り曲げて、第一の上蓋３１の上に重ねる。この際、差し込み片３２１を折り曲げて、第一の上蓋３１と側部３５との折り込み線上に設けられた差し込み用開口３１２に差し込むようにする。また、取っ手本体４１を第二の上蓋３２の中央に設けられた取っ手用開口３２４に挿通することにより、取っ手本体４１が上方に突出する。そして、第一の上蓋３１と側部３５の角に形成された差し込み片３５１を第二の上蓋３２の差し込み用開口３２３に差し込むことにより、図８に示すように、取っ手付きパッキングケースの組み立てが完了する。
【０００８】
【発明が解決しようとする課題】
従来のパッキングケースは上記のように構成されており、組み立て時には、取っ手本体の係止部を第一の上蓋の二箇所の取っ手用開口にそれぞれ挿入し、さらに取っ手の補強板をはめ込むことが必要である。また、このパッキングケースをゴミとして廃棄する場合には、ケース本体が段ボールであり、取っ手本体、取っ手補強板が合成樹脂から形成されているので、両者を分離することが必要となり、取っ手本体の両側の係止部を折り曲げながら、両係止部を補強板の係止用開口から抜き取り、さらに、この係止部を上蓋の取っ手用開口から抜き取る作業を行わねばならず、組み立て、分解に手間がかかるという問題があった。
【０００９】
本発明は、上記の問題に鑑みてなされたもので、組み立て、分解を容易に行うことができ、リサイクル法に基づく分別を単純化することができる取っ手付きパッキングケースを提供することを目的とする。
【００１０】
【課題を解決するための手段】
請求項１に係る本発明のパッキングケースは、二つの長孔を有し、この二つの長孔を横切る形で二つ折りにされる第一の上蓋と、取っ手が通過する孔を有する第二の上蓋とをケース本体に備え、取っ手を二つ折りされた前記第一の上蓋の長孔に挿入することにより取っ手を上蓋に取り付けたことを特徴とする。
また、請求項２に係る本発明のパッキングケースは、請求項１記載のパッキングケースにおいて、取っ手が取っ手本体と補強板とよりなることを特徴とする。
【００１１】
本発明のパッキングケースは上記のように構成されており、二つの長孔が形成された第一の上蓋を長孔を横切る形で二つ折りすることにより、取っ手をこの長孔に横方向からスライドさせて挿入することができ、簡単に取っ手の取り付け、取り外しを行うことができるので、組み立て、分解を容易に行うことができる。また、取っ手を取っ手本体と補強板で構成する場合にも、パッキングケースの組み立て前に、予め取っ手部品だけを単独で組み立てることができるので、組み立て工程が簡単になる。さらに、パッキングケースを廃棄する場合には、取っ手本体と補強板を分離することなく廃棄することができるので、分別作業を単純化することができる。
【００１２】
【発明の実施の形態】
以下、本発明のパッキングケースの実施の形態について図１〜図４を参照して説明する。
図１は段ボールでできたケース本体を組み立て、上蓋を開いた状態を示し、このケース本体は第一の上蓋１、第二の上蓋２、補助上蓋３、４の四つの上蓋を備えている。第一の上蓋１はケースの上部開口の二倍の面積を有する長方形状をしており、中央に二つの長方形状の細長い長孔を形成する開口１１、１２と円形の開口１３が設けられており、この開口１１、１２、１３をまたがるように中央に折り込み線１４が形成されている。また、従来と同様に、第一の上蓋１と側部５とにまたがるようにして切り込み１５が入れられて側部５に差し込み片５１（図４参照）が形成され、この切り込み１５の両側には上面折り込み線に沿ってスリット状の差し込み用開口１６が設けられている。
【００１３】
一方、第二の上蓋２には、従来と同様に、その上辺に沿って細長い長方形の差し込み片２１が設けられ、差し込み片２１と第二の上蓋２との境の部分には折り込み線２２が形成されている。また、この折り込み線２２上には細長い差込用開口２３が形成され、第二の上蓋２の中央には長い長方形状の取っ手用開口２４が形成されている。
【００１４】
取っ手は図２に示すように、従来と同様の構造を有しており、弧状の部材の両端部に同幅の長方形の板状の係止部６１、６２が形成された取っ手本体６と、中央に湾曲した切り欠きが設けられ、取っ手本体６の係止部６１、６２に相当する位置に方形の係止用開口７１、７２を有する補強板７とから構成されている。この取っ手本体６及び補強板７はポリエチレン等の樹脂から形成され、柔軟性を有している。
【００１５】
次に、本発明のパッキングケースの組み立て作業について説明する。
パッキングケースを組み立てる場合、予め取っ手を組み立てて置く。すなわち、図２において、取っ手本体６の両側の係止部６１、６２を折り曲げながら、両係止部６１、６２を上側から補強板７の係止用開口７１、７２に挿通させた後、係止部６１、６２を元の姿勢に戻すことにより、取っ手本体６が補強板７に係止された状態となる。次に、段ボールよりなるケース本体を図１に示すような状態に組み立てた後、第一の上蓋１を折り込み線１４の位置で折り曲げて二つ折りにする。このように、第一の上蓋１を二つ折りすることにより、長孔１１、１２に取っ手が挿入可能となるので、図３に示すように二つ折りにした折目の先端部分から長孔１１、１２に補強板７が後ろ側になるようにして取っ手をスライドさせて挿入し、突き当たる位置まで移動させる。このとき、第一の上蓋１が二つ折りされているので、段ボールに開こうとする力が発生してバネ状態となり、はめ込んだ取っ手の本体６と補強板７とを引き離す方向の力が働いて取っ手が固定されるので、取っ手が動いて落ちることがなく、容易に組み立てを行うことができる。
【００１６】
そして、補助板３、４を内側に折り曲げた後、図４に示すように、取っ手が取り付けられた第一の上蓋１を内側に折り曲げる。次に、第二の上蓋２を折り曲げて、第一の上蓋１の上に重ねる。この際、従来と同様に、差し込み片２１を折り曲げて、第一の上蓋１と側部５との折り込み線上に設けられた差し込み用開口１６に差し込むとともに、取っ手本体６を第二の上蓋２の中央に設けられた取っ手用開口２４に挿通することにより、取っ手本体６が上方に突出する。そして、第一の上蓋１と側部５の角に形成された差し込み片５１を第二の上蓋２の差し込み用開口２３に差し込むことにより、従来の図８と同様の形状の取っ手付きパッキングケースができあがり、取っ手本体６を手に持ってパッキングケース１を持ち運ぶことができる。
【００１７】
一方、このパッキングケースをゴミとして廃棄する場合には、第一の上蓋１の開口１３に指を入れて上蓋１を開いて図３のような状態にし、取っ手を上方向にスライドさせることにより、ケース本体から取っ手を容易に抜くことができ、ポリエチレンと段ボールの分別を簡単に行うことができる。この場合、取っ手本体と補強板を分離することなく一体として廃棄することができるので、分別作業をさらに単純化することができる。
【００１８】
上記の実施の形態では、取っ手に補強板を取り付けて使用したが、取っ手本体の係止部の面積を大きくして取っ手本体に強度を持たせることにより、補強板を省略することができる。また、上記の実施の形態では、ケース本体に四つの上蓋を設けた例を説明したが、補助上蓋は必要に応じて設ければよく、補助上蓋をなくすことも可能であり、さらに、上蓋に設けた差し込み片や差し込み用開口は必ずしも必要ではなく、必要に応じて設ければよい。
【００１９】
【発明の効果】
以上詳述したように、本発明によれば、二つの長孔が形成された第一の上蓋を長孔を横切る形で二つ折りすることにより、取っ手をこの長孔に横方向からスライドさせて挿入することができ、簡単に取っ手の取り付け、取り外しを行うことができるので、組み立てが簡単であり、また、廃棄時にも段ボールと合成樹脂の分別を簡単に行うことができる。また、取っ手を取っ手本体と補強板で構成する場合にも、パッキングケースの組み立て前に、予め取っ手部品だけを単独で組み立てることができるので、組み立て工程が簡単になり、さらに、パッキングケースを廃棄する場合には、取っ手本体と補強板を分離することなく廃棄することができるので、分別作業を単純化することができる。
【図面の簡単な説明】
【図１】本発明の実施の形態に係るパッキングケースの上蓋を開いた状態を示す図である。
【図２】取っ手の構造を示す図である。
【図３】図１に示すパッキングケースの組み立ての途中の状態を示す図である。
【図４】図１に示すパッキングケースの組み立ての途中の状態を示す図である。
【図５】従来のパッキングケースの上蓋を開いた状態を示す図である。
【図６】従来のパッキングケースの取っ手の組み立て状態を示す図である。
【図７】従来のパッキングケースの組み立ての途中の状態を示す図である。
【図８】従来のパッキングケースを組み立てた状態を示す図である。
【符号の説明】
１　第一の上蓋
２　第二の上蓋
３、４　補助上蓋
５　側部
１１、１２、１３　開口
１４、２２　折り込み線
１５　切り込み
１６、２３　差込用開口
２１、５１　差し込み片
２４　取っ手用開口
６　取っ手本体
６１、６２　係止部
７　補強板
７１、７２　係止用開口
【図１】
2004059105.tif 000003
【図２】
2004059105.tif 000004
【図３】
2004059105.tif 000005
【図４】
2004059105.tif 000006
【図５】
2004059105.tif 000007
【図６】
2004059105.tif 000008
【図７】
2004059105.tif 000009
【図８】
2004059105.tif 000010